(57)【特許請求の範囲】
【請求項１】
一面に空気入口部を有し、他面に空気出口部を設け、空気流路を形成した箱状の本体と、この本体の内部に風下側に向かい突出しほぼ半円形に湾曲して着脱自在に設けられる集塵フィルターと、この集塵フィルターと前記本体間の隙間をシールするシール部とを備え、前記集塵フィルターは平板濾材をひだ折り状に形成しひだ折り方向に屈曲性を持つようにひだ折り部分を接着連結し、湾曲した前記集塵フィルターの端部が係合される凹溝を両側に有した枠状の取付具と、この取付具と本体内面間をシールする取付具シール部とを備え、前記取付具を介して前記集塵フィルターを前記本体に着脱自在に設け、前記取付具の凹溝に係合される集塵フィルターの端部に集塵フィルターの端部を覆う形状のガイドを設け、前記集塵フィルターの端部を覆う形状のガイド内に前記集塵フィルターの湾曲時の形状で前記ガイドが上方の垂直方向から前記取付具に装着できるように、前記集塵フィルターに前記ガイドを傾斜して接着した空気清浄ユニット。
【発明の詳細な説明】
【０００１】
【産業上の利用分野】
本発明は、部屋の汚染空気を効率良く浄化することのできる空気清浄ユニットと空気清浄装置に関する。
【０００２】
【従来の技術】
近年、建物の天井裏等を利用し、部屋の汚染空気を浄化する空気清浄ユニットが普及されつつあり、集塵フィルターの表面積を増大して集塵効率を高めるようにする要望が高まってきている。
【０００３】
従来、この種の空気清浄ユニットの一例として図２２〜図２４に示されるものが知られていた。以下、その構成について図２２〜図２４を参照しながら説明する。
【０００４】
図に示すように、部屋１０１の天井１０２に吸込口１０３を設け、天井裏に空気入口部１０４と空気出口部１０５を形成し、下面を開口した箱状の本体１０６を設け、この本体１０６の空気入口部１０４には吸込口１０３と接続する吸込みダクト１０７を接続し、本体１０６の空気出口部１０５には送風機１０８と吹出ダクト１０９を介して天井１０２に設けられる吹出口１１０を設ける。
【０００５】
そして、本体１０６の下面を覆う形状の閉鎖板１１１と傾斜状態で本体１０６内に収納される集塵フィルター１１２を設けると共に、本体１０６に閉鎖板１１１を取り付けるための取付ばね１１３を設け、本体１０６側には取付ばね１１３が係合する係合孔１１４を有する固定具１１５を設けていた。
【０００６】
上記構成において、部屋１０１の空気を浄化するときには、送風機１０８を運転すると本体１０６を介して部屋１０１の空気が本体１０６に吸気され、本体１０６内に傾斜して設けた集塵フィルター１１２により集塵され、浄化された空気が送風機１０８を経て送られ、部屋１０１に設けた吹出口１１０より部屋１０１内に吹出されて部屋１０１の汚染空気が浄化されるものであった。
【０００７】
【発明が解決しようとする課題】
このような従来の空気清浄ユニットでは、本体１０６内に設けられる集塵フィルター１１２は平坦で単に傾斜させて設けられていたので、傾斜していないものに比較しては集塵効率が高くなるが未だ十分なものでなく、また、固定具が突出していることにより、集塵フィルターの横幅が限定され集塵効率を高めることができないという課題があった。
【０００８】
また、集塵フィルター１１２と本体１０６内壁との間に隙間が生じ、シール性が悪いという課題があった。
【００１１】
本発明は上記課題を解決するもので、集塵フィルターの表面積を増大して集塵効率を高めると共に、シール性を向上し、エアリークを防止することのできる空気清浄ユニットを提供することを目的とする。
【００１３】
【課題を解決するための手段】
本発明の空気清浄ユニットは上記目的を達成するために、一面に空気入口部を有し、他面に空気出口部を設け、空気流路を形成した箱状の本体と、この本体の内部に風下側に向かい突出しほぼ半円形に湾曲して着脱自在に設けられる集塵フィルターと、この集塵フィルターと前記本体間の隙間をシールするシール部とを備え、前記集塵フィルターは平板濾材をひだ折り状に形成し、ひだ折り方向に屈曲性を持つようにひだ折り部分を接着連結した構成としたものである。
【００１４】
本発明によれば、集塵フィルターの表面積を増大して集塵効率を高めると共に、シール性を向上し、エアリークを防止することのできる空気清浄フィルターが得られる。
【００１７】
【発明の実施の形態】
本発明は、一面に空気入口部を有し、他面に空気出口部を設け、空気流路を形成した箱状の本体と、この本体の内部に風下側に向かい突出し、ほぼ半円形に湾曲して着脱自在に設けられる集塵フィルターと、この集塵フィルターと前記本体間の隙間をシールするシール部とを備え、前記集塵フィルターは平板濾材をひだ折り状に形成したひだ折り方向に屈曲性を持つようにひだ折り部分を接着連結した構成としたものであり、集塵フィルターが湾曲状に形成されることにより、集塵フィルターの表面積が増大し、圧損が少なく大風量が可能となり集塵効率が高まると共に、シール部によりシール性が向上し、エアリークを防止することができるという作用を有する。
【００１９】
以下、本発明の実施例について図面を参照しながら説明する。
【００２０】
[実施例]
（参考例１）
図１および図２に示すように、下面に空気入口部１を有し、他面に空気出口部２を設け、空気流路３を形成した箱状の本体４の内面部に半円弧形状のシール部５を設け、本体４の内部に平板濾材６をひだ折り状に折り曲げ、ひだ折り方向に屈曲性を持つようにひだ折り部分７を接着剤８で接着連結した平坦状の集塵フィルター９を風下側に向かい突出させ、ほぼ半円形に湾曲して本体４の内面に設けたシール部５に当接するように本体４内に装着し、空気入口部１には通気孔１０を設けた化粧グリル１１を取り付けて空気清浄ユニット１２を構成する。
【００２１】
上記構成において、空気清浄ユニット１２を設置するときには、部屋１３の天井１４に本体４の取り付け用開口を形成して本体４を天井１４に設け、天井裏に設けた送風機１５と天井１４に設けた吹出口１６をダクト１７を介して接続し、本体４内に集塵フィルター９を円形状に湾曲して収納し、本体４内に設けたシール部５に当接させて装着し、化粧グリル１１を取り付け設置する。
【００２２】
そして、送風機１５を運転すると化粧グリル１１を介して本体４内に吸い込まれた汚染空気は、半円形状に湾曲した集塵フィルター９の面積の大きい外周側からの吸引力で集塵フィルター９の内部を通り濾過され、浄化された清浄空気が吹出口１６に吹出されて部屋１３内に放散されて部屋１３内の空気が浄化される。
【００２３】
また、集塵フィルター９の交換や清掃時には部屋１３内から化粧グリル１１を取り外し、集塵フィルター９を取り出して交換することができる。
【００２４】
このように集塵フィルター９の集塵面積が増大して集塵効率が高まるとともに、集塵フィルター９は本体４の内面に設けたシール部５に当接した状態に装着されるので、集塵フィルター９と本体４間の隙間が密閉されてエアリークが防止される。
【００２５】
（参考例２）
図３〜図５に示すように、湾曲した集塵フィルター９Ａの端部が係合する凹溝１８を両側に有した枠状の取付具１９を設け、取付具１９と凹溝１８の外側と本体４Ａの内面との間をシールする取付具シール部２０を設け、取付具１９を介して集塵フィルター９Ａを本体４Ａ内に着脱自在に設ける。
【００２６】
上記構成において、集塵フィルター９Ａの端部が取付具１９の凹溝１８に係合されて集塵フィルター９Ａが湾曲した状態に保持され、集塵フィルター９Ａの端部が凹溝１８によりシールされる。この状態で取付具１９により集塵フィルター９Ａを本体４Ａ内に挿入すると、取付具シール部２０により取付具１９と本体４Ａ間の隙間がシールされて集塵フィルター９Ａが本体４Ａ内に装着される。
【００２７】
このように、集塵フィルター９Ａの端部が取付具１９の凹溝１８に係合されることにより、集塵フィルター９Ａの端部におけるエアリークが防止されると共に、取付具シール部２０により取付具１９と本体４Ａ間の隙間がシールされ、シール性が向上される。
【００２８】
また、集塵フィルター９Ａが取付具１９を介して本体４Ａ内に装着されるので、集塵フィルター９Ａは正確に湾曲状態に保持され、別個に集塵フィルター９Ａの保持部材の必要がなくなり、取付性が向上する。
【００２９】
（参考例３）
図６に示すように、湾曲した集塵フィルター９Ａの端面９ａが当接する取付具１９Ａの凹溝１８Ａの底面２１を集塵フィルター９Ａの内径側が対向する内側が深く、外径側が対向する外側が浅くなるように傾斜した構成とする。
【００３０】
上記構成において、平坦状の集塵フィルター９Ａを湾曲した場合には、外径側に平坦状に戻ろうとする力が作用して集塵フィルター９Ａの端面９ａは水平状態に保持されることが困難で、一定の傾斜角度を持って傾くものであり、この傾きに対応して取付具１９Ａの凹溝１８Ａの底面２１を傾斜させることにより、集塵フィルター９Ａの端面９ａを凹溝１８Ａの底面２１に密接させる。
【００３１】
このように、取付具１９Ａの凹溝１８Ａの底面２１を内側は深く、外側は浅くなるように傾斜させているので、平坦状の集塵フィルター９Ａを湾曲したときの集塵フィルター９Ａの傾斜した端面９ａと凹溝１８Ａの底面２１が合致され、集塵フィルター９Ａに無理な力を加えることなく、自然な姿の状態で湾曲した集塵フィルター９Ａの端面９ａにおけるエアリークが防止されシール性が向上する。
【００３２】
（参考例４）
図７および図８に示すように、取付具１９の凹溝１８に係合される集塵フィルター９の端部に集塵フィルター９の端部を覆う形状のガイド２２を設け構成する。
【００３３】
上記構成において、平坦状の集塵フィルター９を湾曲して取付具１９に取り付けるときに、集塵フィルター９の端部をガイド２２で覆ったのち、取付具１９の凹溝１８に係合して集塵フィルター９を湾曲状態で保持されるように取り付ける。
【００３４】
このように、集塵フィルター９の端部をガイド２２で覆ってから取付具１９と凹溝１８に係合するので、集塵フィルター９を取付具１９の凹溝１８に係合するときに集塵フィルター９の端部が変形したり破損するのが防止されると共に、集塵フィルター９の端部の変形および破損によるエアリークが防止されシール性が向上する。
【００３５】
また、集塵フィルター９の端部をガイド２２により覆うことにより、集塵フィルター９を取付具１９の凹溝１８に係合するときに、ガイド２２が案内役を果たし、脱着が容易となり作業性が向上する。
【００３６】
（参考例５）
図９に示すように、集塵フィルター９Ｂの風下側に一体的に設けられる活性炭により形成される脱臭フィルター２３の端部が取付具１９の凹溝１８内に挿入されないように集塵フィルター９Ｂより脱臭フィルター２３の長さを短かく形成した構成とする。
【００３７】
上記構成において、集塵フィルター９Ｂを湾曲して取付具１９の凹溝１８に係合するとき、集塵フィルター９Ｂの風下側に一体的に設けた脱臭フィルター２３は集塵フィルター９Ｂより長さを短かく形成されているため、脱臭フィルター２３の端部が取付具１９の凹溝１８内に係合されることなく取り付けられる。
【００３８】
このように、集塵フィルター９Ｂの風下側に設けられる脱臭フィルター２３の長さを集塵フィルター９Ｂより短かく形成しているので、取付具１９の凹溝１８には集塵フィルター９Ｂの端部のみが係合することとなり、表面が活性炭により凹凸となっている脱臭フィルター２３が凹溝１８に係合しないことにより、取付具１９の凹溝１８に対する取り付けが容易となるとともに、活性炭の凹凸面による係合がなくエアリークの発生が防止できシール性が向上する。また、脱臭フィルター２３が小形に形成できるのでコストが安価となる。
【００３９】
（参考例６）
図１０〜図１１に示すように、集塵フィルター９Ｃの風下側に一体的に設けられる脱臭フィルター２３Ａの両側部が本体４の内側に設けたシール部５に当接しないように集塵フィルター９Ｃより脱臭フィルター２３Ａの幅を狭く形成した構成とする。
【００４０】
上記構成において、集塵フィルター９Ｃを本体４の内側に収納したとき、本体４の内側に設けたシール部５には脱臭フィルター２３Ａの幅が狭く形成されていることにより脱臭フィルター２３Ａは当接せずシール部５には集塵フィルター９Ｃのみが当接して取り付けられる。
【００４１】
このように、集塵フィルター９Ｃの幅より脱臭フィルター２３Ａの幅を狭く形成しているので、集塵フィルター９Ｃを本体４内に収納したとき、表面が活性炭により凹凸状態となっている脱臭フィルター２３Ａが本体４内に設けたシール部５に当接しなくなって集塵フィルター９Ｃと本体４と間のシール性が向上する。また、脱臭フィルター２３Ａが小形に形成できるのでコストが安価となる。
【００４２】
（参考例７）
図１２に示すように、取付具１９Ｂの両側部に湾曲した集塵フィルター９Ｄの内側を支持する半円形状のシール板２４を設け、集塵フィルター９Ｄを取付具１９Ｂを介して本体４内に収納したときに、本体４の内側に設けたシール部５とシール板２４により集塵フィルター９Ｄの両側部を挟みシールする構成とする。
【００４３】
上記構成において、取付具１９Ｂに湾曲して取り付けられ内側をシール板２４により支持された集塵フィルター９Ｄを本体４内に収納すると、本体４内に設けたシール部５に集塵フィルター９Ｄが当接し、集塵フィルター９Ｄはシール部５とシール板２４により挟まれた状態で本体４と集塵フィルター９Ｄとの間のシールが行われる。
【００４４】
このように、取付具１９Ｂの両側部に湾曲した集塵フィルター９Ｄの内側を支持するシール板２４を設けたので、湾曲した状態にシール板２４で支持された集塵フィルター９Ｄを本体４内に収納したとき、本体４内に設けたシール部５に集塵フィルター９Ｄの外側が当接し、集塵フィルター９Ｄが挟まれ、集塵フィルター９Ｄと本体４間のエアリークが防止されシール性が向上するととにも、集塵フィルター９Ｄの湾曲した形状の変形するのが防止できる。
【００４５】
（実施例１）
図１および図２に示すように、下面に空気入口部１を有し、他面に空気出口部２を設け、空気流路３を形成した箱状の本体４の内面部に半円弧形状のシール部５を設け、本体４の内部に平板濾材６をひだ折り状に折り曲げ、ひだ折り方向に屈曲性を持つようにひだ折り部分７を接着剤８で接着連結した平坦状の集塵フィルター９を風下側に向かい突出させ、ほぼ半円形に湾曲して本体４の内面に設けたシール部５に当接するように本体４内に装着し、空気入口部１には通気孔１０を設けた化粧グリル１１を取り付けて空気清浄ユニット１２を構成する。
図３〜図５に示すように、湾曲した集塵フィルター９Ａの端部が係合する凹溝１８を両側に有した枠状の取付具１９を設け、取付具１９と凹溝１８の外側と本体４Ａの内面との間をシールする取付具シール部２０を設け、取付具１９を介して集塵フィルター９Ａを本体４Ａ内に着脱自在に設ける。
図７および図８に示すように、取付具１９の凹溝１８に係合される集塵フィルター９の端部に集塵フィルター９の端部を覆う形状のガイド２２を設け構成する。
図１３に示すように、集塵フィルター９Ｅの端部を覆う形状のガイド２２Ｂ内に集塵フィルター９Ｅの湾曲時の形状で、ガイド２２Ａが上方の垂直方向から取付具１９Ｂに装着できるように、集塵フィルター９Ｅにガイド２２Ｂを傾斜した状態に傾斜部材等を介して接着剤２５で接着した構成とする。
【００４６】
上記構成において、集塵フィルター９Ｅの端部に設けたガイド２２Ｂを取付具１９Ｂの凹溝１８Ａに装着するように湾曲すると、集塵フィルター９Ｅに傾けて取り付けていたガイド２２Ｂは垂直方向となり、ガイド２２Ｂは上方より取付具１９Ｂの凹溝１８Ａに挿入することができる。
【００４７】
このように、集塵フィルター９Ｅの端部にガイド２２Ｂを集塵フィルター９Ｅを湾曲に形成したときに、ほぼ垂直方向となるように傾けて取り付けているので、取付具１９Ｂの凹溝１８Ａに集塵フィルター９Ｅの端部を係合して保持するとき、集塵フィルター９Ｅを湾曲すると、端部に設けたガイド２２Ｂが垂直方向となり、ガイド２２Ｂを凹溝１８Ａに容易に挿入して取り付けられるとともに、集塵フィルター９Ｅをガイド２２Ｂを介して取り付けるときのエアリークの防止ができる。
【００４８】
また、取付時の集塵フィルター９Ｅの位置決めが可能になるとともに、集塵フィルター９Ｅにガイド２２Ｂが接着固定されているので、移動の防止も図れる。
【００４９】
（参考例８）
図１４〜図１６に示すように、断面がコの字状で集塵フィルター９Ｆの両側部が収納保持される半円形状の一対のレール２６を、伸縮自在に形成した取付具１９Ｃに設けた構成とする。
【００５０】
上記構成において、集塵フィルター９Ｆを取り付けるときには、レール２６を左右に広げた状態で湾曲させた集塵フィルター９Ｆを挟むようにレール２６を移動し、取付具１９Ｃに集塵フィルター９Ｆを取り付ける。
【００５１】
このように、断面がコの字で集塵フィルター９Ｆの両側部を収納保持できる半円形状に形成した一対のレール２７を取付具１９Ｃに設けているので、集塵フィルター９Ｆは湾曲状態に確実に保持され変形が防止されるととにも、集塵フィルター９Ｆの端部のエアリークが防止できる。
【００５２】
（参考例９）
図１７および図１８に示すように、本体４Ａの下方を覆う化粧グリル１１Ａに二又状の開き勝手の取付ばね２７を設け、湾曲状の集塵フィルター９Ａの端部を支持する凹溝１８を設けた取付具１９Ｄの枠部２８に化粧グリル１１Ａに設けた取付ばね２７が係合する係合孔２９を設けた構成とする。
【００５３】
上記構成において、化粧グリル１１Ａを取り付けるときには、集塵フィルター９Ａを本体４Ａに取り付けている取付具１９Ｄを設けた係合孔２９に化粧グリル１１Ａの取付ばね２７を縮め挿入したのち、取付ばね２７を縮めていた外力を除くと取付ばね２７の開き勝手の弾性力により係合孔２９に取付ばね２７が弾性係合して化粧グリル１１Ａが取り付けられる。
【００５４】
このように、集塵フィルター９Ａを湾曲状に保持し、本体４Ａに取り付けられる取付具１９Ｄに係合孔２９を設け、化粧グリル１１Ａに設けた取付ばね２７を係合して化粧グリル１１Ａを取り付けるようにしたので、化粧グリル１１Ａを取り付けるために、取付ばね２７の係合部分を本体４Ａ内に別部品で構成する必要がなくなり、本体４Ａの下面開口が狭くなることがなくなり集塵フィルター９Ａに寸法の大きいものが使用することができ、圧力損失が少なくなり集塵効率が向上できる。
【００５５】
（参考例１０）
図１９に示すように、シール部５Ａの端部にＬ字状部３０を形成し、脱臭フィルター２３Ｃを一体的に設けた集塵フィルター９Ｇとシール部５Ａ間の隙間を覆いシールする形状とする。
【００５６】
上記構成において、本体４Ｂ内に集塵フィルター９Ｇを収納すると本体４Ｂ内に設けたシール部５ＡのＬ字状部３０に当接しシールされる。
【００５７】
このように、本体４Ｂ内面に設けられるシール部５Ａの端部にＬ字状部３０を形成したので、集塵フィルター９Ｇがシール部５ＡのＬ字状部３０に当接することにより、集塵フィルター９Ｇの位置決めができると共に、Ｌ字状部３０によりシール面積が増大しシール性が向上する。
【００５８】
（参考例１１）
図２０および図２１に示すように、空気入口部１を一面に有し、他面に空気吹出口２を設け、空気流路３を形成した箱状の本体４の内部に風下側に向かい突出し、ほぼ半円形に湾曲した集塵フィルター９および化粧グリル１１を着脱自在に設け空気清浄ユニット１２Ａを形成する。
【００５９】
そして、建物３１内の一つの部屋３１Ａの天井３１ａに空気清浄ユニット１２Ａを部屋３１Ａと空気の入口部１側が連通するように設置し、他の複数の部屋３１Ｂ，３１Ｃの天井３１ｂ，３１ｃに吹出口３２Ａ，３２Ｂを設け、天井裏に送風機３３を設け、空気清浄ユニット１２Ａの空気出口部２と送風機３３を接続するとともに、送風機３３の吹出口側に吹出ダクト３４を介して吹出口３２Ａ，３２Ｂに接続して構成する。
【００６０】
上記構成において、送風機３３を運転すると、一つの部屋３１Ａの汚染空気が空気清浄ユニット１２Ａ内に吸い込まれ、空気清浄ユニットユニット１２Ａ内に湾曲して設けられた面積の大きい集塵フィルター９により浄化され、浄化された空気が送風機３３により吹出ダクト３４を介して複数の部屋３１Ｂ，３１Ｃの吹出口３２Ａ，３２Ｂより清浄な空気が放散され部屋３１Ａ，３１Ｂ，３１Ｃの空気が浄化される。
【００６１】
このように、一つの部屋３１Ａの汚染空気を吸込むように空気清浄ユニット１２Ａを設け、空気清浄ユニット１２Ａで浄化された空気を送風機３３により、複数の部屋３１Ｂ，３１Ｃに設けた吹出口３２Ａ，３２Ｂより放散するので、複数の部屋３１Ｂ，３１Ｃには吹出口３２Ａ，３２Ｂを設けるだけで空気の清浄化が図れると共に、各部屋３１Ａ，３１Ｂ，３１Ｃの天井３１ａ，３１ｂ，３１ｃには空気清浄ユニット１２Ａおよび吹出口３２Ａまたは３２Ｂの一つが設けられるだけであるので、インテリア性および施工性が向上する。
【００６２】
また、化粧グリル１１を取り外すことにより集塵フィルター９を取り外せるので、集塵フィルター９のメンテナンス性が向上することとなる。
【００７０】
【発明の効果】
以上の実施例から明らかなように、本発明によれば一面に空気入口部を有し、他面に空気出口部を設け、空気流路を形成した箱状の本体と、この本体の内部に風下側に向かい突出しほぼ半円形に湾曲して着脱自在に設けられる集塵フィルターと、この集塵フィルターと前記本体間の隙間をシールするシール部とを備え、前記集塵フィルターは平板濾材をひだ折り状に形成し、ひだ折り方向に屈曲性を持つようにひだ折り部分を接着連結したので、集塵面積が増大して集塵効率が高まると共に、集塵フィルターと本体間のエアリークが防止されシール性が向上する空気清浄ユニットを提供できる。
また、湾曲した集塵フィルターの端部が係合される凹溝を両側に有した枠状の取付具と、この取付具と本体内面間をシールする取付具シール部とを備え、前記取付具を介して前記集塵フィルターを前記本体に着脱自在に設けたので、集塵フィルターの端部におけるエアリークが防止されると共に、取付具シール部により取付具と本体間の隙間がシールされシール性が向上する。
また、取付具の凹溝に係合される集塵フィルターの端部に、集塵フィルターの端部を覆う形状のガイドを取り付けたので、集塵フィルターの端部の変形、破損が防止され、それに伴なうエアリークが防止されシール性が向上するとともに、ガイドが案内役を果たし着脱が容易となり作業性が向上する。
また、集塵フィルターの端部を覆う形状のガイド内に集塵フィルター湾曲時の形状で前記ガイドが垂直方向から取付具に装着できるように、前記集塵フィルターに前記ガイドを傾斜して接着したので、集塵フィルターの取り付けが容易でシール性も向上する。そして、集塵フィルターの位置決めが可能で移動の防止も図れる。
【図面の簡単な説明】
【図１】（ａ）本発明の参考例１の空気清浄ユニットの構成を示す断面図、（ｂ）同空気清浄ユニットの集塵フィルターの構成を示す側面図
【図２】同空気清浄ユニットの設置状態を示す建物の概略図
【図３】本発明の参考例２の空気清浄ユニットの取付具の構成を示す斜視図
【図４】同空気清浄ユニットの取付具に集塵フィルターを取り付けた状態を示す断面図
【図５】同空気清浄ユニットの構成を示す断面図
【図６】本発明の参考例３の空気清浄ユニットの集塵フィルトと取付具の関係を示す断面図
【図７】本発明の参考例４の空気清浄ユニットのガイドの構成を示す斜視図
【図８】同空気清浄ユニットの集塵フィルターをガイドを介して取り付けた状態を示す断面図
【図９】本発明の参考例５の空気清浄ユニットの集塵フィルターの取り付け状態を示す断面図
【図１０】本発明の参考例６の空気清浄ユニットの集塵フィルターとシール部の関係を示す断面図
【図１１】同空気清浄ユニットの集塵フィルターとシール部の関係を示す斜視図
【図１２】本発明の参考例７の空気清浄ユニットの集塵フィルターの状態を示す断面図
【図１３】本発明の実施例１の空気清浄ユニットの集塵フィルターの取り付け状態を示す断面図
【図１４】本発明の参考例８の空気清浄ユニットの取付具の構成を示す斜視図
【図１５】同空気清浄ユニットの湾曲時の集塵フィルターの構成を示す斜視図
【図１６】同空気清浄ユニットの集塵フィルターを取付具に取り付けた状態を示す斜視図
【図１７】本発明の参考例９の空気清浄ユニットの取付具の構成を示す上面図
【図１８】同空気清浄ユニットの化粧グリルの取付け状態を示す断面図
【図１９】本発明の参考例１０の空気清浄ユニットの集塵フィルターとシール部の関係を示す断面図
【図２０】本発明の参考例１１の空気清浄装置を建物内に設置した状態を示す概略図
【図２１】同空気清浄装置内の構成を示す概略断面図
【図２２】従来の空気清浄ユニットの構成を示す断面図
【図２３】同空気清浄ユニットの設置状態を示す建物の概略図
【図２４】同空気清浄ユニットの固定具の構成を示す上面図
【符号の説明】
１    空気入口部
２    空気出口部
３    空気流路
４    本体
４Ａ  本体
４Ｂ  本体
５    シール部
５Ａ  シール部
６    平板濾材
７    ひだ折り部分
８    接着剤
９    集塵フィルター
９Ａ  集塵フィルター
９Ｂ  集塵フィルター
９Ｃ  集塵フィルター
９Ｄ  集塵フィルター
９Ｅ  集塵フィルター
９Ｆ  集塵フィルター
９Ｇ  集塵フィルター
９ａ  端面
１１Ａ  化粧グリル
１２Ａ  空気清浄ユニット
１８    凹溝
１８Ａ  凹溝
１９    取付具
１９Ａ  取付具
１９Ｂ  取付具
１９Ｃ  取付具
１９Ｄ  取付具
２０    取付具シール部
２１    底面
２２    ガイド
２２Ａ  ガイド
２２Ｂ  ガイド
２３    脱臭フィルター
２３Ａ  脱臭フィルター
２３Ｂ  脱臭フィルター
２４    シール板
２５    接着剤
２６    レール
２７    取付ばね
２９    係合孔
３０    Ｌ字状部
３１Ａ  一つの部屋
３１Ｂ  複数の部屋
３１Ｃ  複数の部屋
３２Ａ  吹出口
３２Ｂ  吹出口
３３    送風機
【図１】
0004169823.tif 000002
【図２】
0004169823.tif 000003
【図３】
0004169823.tif 000004
【図４】
0004169823.tif 000005
【図５】
0004169823.tif 000006
【図６】
0004169823.tif 000007
【図７】
0004169823.tif 000008
【図８】
0004169823.tif 000009
【図９】
0004169823.tif 000010
【図１０】
0004169823.tif 000011
【図１１】
0004169823.tif 000012
【図１２】
0004169823.tif 000013
【図１３】
0004169823.tif 000014
【図１４】
0004169823.tif 000015
【図１５】
0004169823.tif 000016
【図１６】
0004169823.tif 000017
【図１７】
0004169823.tif 000018
【図１８】
0004169823.tif 000019
【図１９】
0004169823.tif 000020
【図２０】
0004169823.tif 000021
【図２１】
0004169823.tif 000022
【図２２】
0004169823.tif 000023
【図２３】
0004169823.tif 000024
【図２４】
0004169823.tif 000025